(57)【要約】【課題】通信機能を持たない端末での測位時間の短縮を可能とする測位方法及び測位システムを提供する。【解決手段】測位システムは、測位支援情報４及び測位支援情報４を表示する表示部３０を有する第１の装置２と、第１の装置２の表示部３０に表示された測位支援情報４を撮影する撮像部、測位衛星からの測位信号を受信する受信部、及び撮像部で撮影された測位支援情報４と受信した測位信号とに基いて測位を行う測位部、を有する第２の装置３と、を含む。【選択図】図１
2012247200.tif 000002
【特許請求の範囲】
【請求項１】
測位支援情報を有する第１の装置が、該測位支援情報を表示することと、
測位衛星からの測位信号を受信する第２の装置が、前記第１の装置に表示される前記測位支援情報を撮影し、該撮影された前記測位支援情報と前記受信した測位信号とに基いて測位を行うことと、
を含むことを特徴とする測位方法。
【請求項２】
請求項１に記載の測位方法において、
前記測位支援情報は、時刻情報を含み、
前記測位を行うことは、前記第２の装置が前記撮影された前記測位支援情報から前記時刻情報を得ることと、該時刻情報に基づいて測位を行うことと、
をさらに含むことを特徴とする測位方法。
【請求項３】
請求項１又は２に記載の測位方法において、
前記測位支援情報は、衛星軌道情報及び初期位置の少なくとも一つを含むことを特徴とする測位方法。
【請求項４】
測位支援情報と、該測位支援情報を表示する表示部と、を有する第１の装置と、
前記第１の装置の前記表示部に表示された前記測位支援情報を撮影する撮像部と、測位衛星からの測位信号を受信する受信部と、該撮像部で撮影された前記測位支援情報と前記受信した測位信号とに基いて測位を行う測位部と、を有する第２の装置と、
を含むことを特徴とする測位システム。
【請求項５】
請求項４に記載の測位システムにおいて、
前記第１の装置は、前記表示部に時刻情報を順次表示し、
前記第２の装置は、
前記表示部に表示された前記時刻情報の変化を認識する認識部と、
前記認識部が認識した前記時刻情報の変化に基いて時刻を設定する時計設定部と、
を有することを特徴とする測位システム。
【請求項６】
請求項４又は５に記載の測位システムにおいて、
前記測位支援情報は、衛星軌道情報及び初期位置の少なくとも一つを含むことを特徴とする測位システム。
【発明の詳細な説明】
【技術分野】
【０００１】
本発明は、測位方法及び測位システムに関する。
【背景技術】
【０００２】
測位用信号を利用した測位システムとしては、ＧＰＳ（Global Positioning System）が広く知られており、携帯型電話機やカーナビゲーション装置等に内蔵された位置算出装置に利用されている。ＧＰＳでは、複数のＧＰＳ衛星の位置や各ＧＰＳ衛星から位置算出装置までの擬似距離等の情報に基づいて位置算出装置の位置座標と時計誤差とを求める位置算出計算を行う。
【０００３】
位置算出装置は、携帯型電話機やカーナビゲーション装置といった電子機器の他にも、種々の電子機器に内蔵されて利用されている。例えば、位置算出装置を搭載したデジタルカメラにおいて、撮影画像のデータと位置情報のデータとを対応付けて記録する技術が考案されている（例えば、特許文献１参照）。
【先行技術文献】
【特許文献】
【０００４】
【特許文献１】特開平７−３０７９１３号公報
【発明の概要】
【発明が解決しようとする課題】
【０００５】
ＧＰＳを利用して位置算出計算を行うためには、ＧＰＳ衛星の衛星軌道データが必要となる。しかし、衛星軌道データを保持していない状態で測位を開始する、いわゆるコールドスタート、ウォームスタートの状態では、ＧＰＳ衛星から衛星軌道データを取得するために一定の時間が必要となる。一方で、上述したデジタルカメラを例に挙げると、撮影は短時間で終了する。そのため、撮影時刻に位置算出を完結させることには時間的な問題がある。他の電子機器についても同様に考えると、所与の希望時刻に位置算出を完結させることには時間的な問題がある。
【課題を解決するための手段】
【０００６】
本発明は、上述の課題の少なくとも一部を解決するためになされたものであり、以下の形態又は適用例として実現することが可能である。
【０００７】
［適用例１］測位支援情報を有する第１の装置が、該測位支援情報を表示することと、測位衛星からの測位信号を受信する第２の装置が、前記第１の装置に表示される前記測位支援情報を撮影し、該撮影された前記測位支援情報と前記受信した測位信号とに基いて測位を行うことと、を含むことを特徴とする測位方法。
【０００８】
これによれば、測位支援情報を有する第１の装置が測位支援情報を表示し、撮影機能を有しかつ測位衛星からの測位信号を受信する第２の装置が、表示された測位支援情報を撮影して測位支援情報を取得できるため、測位衛星から衛星軌道データを取得するための時間の少なくとも一部を省略することが可能となり、これによってより短い時間で位置算出を完結させることが可能となる。
【０００９】
［適用例２］上記測位方法であって、前記測位支援情報は、時刻情報を含み、前記測位を行うことは、前記第２の装置が前記撮影された前記測位支援情報から前記時刻情報を得ることと、該時刻情報に基づいて測位を行うことと、をさらに含むことを特徴とする測位方法。
【００１０】
これによれば、第１の装置が時刻情報を表示し、第２の装置が表示された時刻情報を撮影することにより、正確な時刻が取得でき、第２の装置の位置測位用の時刻として正確な現在時刻を設定することが可能となる。これにより、測位衛星から衛星軌道データを取得するための時間の少なくとも一部を省略すること、正確な時刻を取得することが可能となり、結果としてより短い時間で位置算出を完結させることが可能となる。以上により、屋内などの電波状態の悪い（衛星信号受信が困難）環境において、時刻、衛星軌道データを取得できることにより測位が可能となる。
【００１１】
［適用例３］上記測位方法であって、前記測位支援情報は、衛星軌道情報及び初期位置の少なくとも一つを含むことを特徴とする測位方法。
【００１２】
これによれば、測位支援情報が、衛星軌道情報及び初期位置の少なくとも一つを含むことにより、エフェメリス、初期位置を得ることにより、測位時間の短縮及び電波状態の悪い環境での測位が可能となる。
【００１３】
［適用例４］測位支援情報と、該測位支援情報を表示する表示部と、を有する第１の装置と、前記第１の装置の前記表示部に表示された前記測位支援情報を撮影する撮像部と、測位衛星からの測位信号を受信する受信部と、該撮像部で撮影された前記測位支援情報と前記受信した測位信号とに基いて測位を行う測位部と、を有する第２の装置と、を含むことを特徴とする測位システム。
【００１４】
これによれば、第１の装置に表示された測位支援情報を撮影する撮影部と、測位支援情報と測位衛星の信号とにより位置測位を行う測位部とを有する第２の装置を有する測位システムにより、第２の装置が測位支援情報を取得して、測位衛星から衛星軌道情報を取得するための時間の一部又は全てを省略することが可能となり、より短い時間で位置算出を完結させることが可能な測位システムを提供できる。
【００１５】
［適用例５］上記測位システムであって、前記第１の装置は、前記表示部に時刻情報を順次表示し、前記第２の装置は、前記表示部に表示された前記時刻情報の変化を認識する認識部と、前記認識部が認識した前記時刻情報の変化に基いて時刻を設定する時計設定部と、を有することを特徴とする測位システム。
【００１６】
これによれば、第１の装置の表示部は、時刻の進行と共に変化する時刻情報を順次表示し、第２の装置は、撮影部が測位支援情報を撮影し、認識部が前記時刻情報の変化を認識し、時計設定部が前記認識部が認識した前記時刻情報の変化に基いて時刻を設定する構成により、第２の装置は正確な時刻の取得が可能となり、これによってより短い時間で位置算出を完結させることが可能となる。
【００１７】
［適用例６］上記測位システムであって、前記測位支援情報は、衛星軌道情報及び初期位置の少なくとも一つを含むことを特徴とする測位システム。
【００１８】
これによれば、測位支援情報が、衛星軌道情報及び初期位置の少なくとも一つを含むことにより、エフェメリス、初期位置を得ることにより、測位時間の短縮及び電波状態の悪い環境での測位が可能となる。
【図面の簡単な説明】
【００１９】
【図１】第１の実施形態に係る測位システムの概略を示す構成図。
【図２】第１の実施形態に係る携帯電話の機能構成の一例を示すブロック図。
【図３】第１の実施形態に係るデジタルカメラの機能構成の一例を示すブロック図。
【図４】第１の実施形態に係る携帯電話の処理フロー図。
【図５】第１の実施形態に係る測位支援情報を表示する画面図。
【図６】第１の実施形態に係るデジタルカメラの処理フロー図。
【図７】第２の実施形態に係る携帯電話の処理フロー図。
【図８】第２の実施形態に係るデジタルカメラの処理フロー図。
【発明を実施するための形態】
【００２０】
以下、図面を参照して、携帯電話、カーナビゲーション、デジタルカメラで構成される測位システム及び測位方法の実施形態について説明する。ただし、本発明を適用可能な実施形態が以下説明する実施形態に限定されるわけでないことは勿論である。
【００２１】
（第１の実施形態）
１．システム構成
図１は、本実施形態に係る測位システムの概略を示す構成図である。本実施形態に係る測位システム１は、第１の装置としての携帯電話２と、第２の装置としてのデジタルカメラ３とを備え、携帯電話２とデジタルカメラ３とが画像を介して、測位支援情報４の転送を行うという構成である。
【００２２】
測位支援情報４は、例えばエフェメリス（衛星の位置と速度）、時計バイアスパラメーターを示す値、及び正確な時刻である。エフェメリスの中には、長期間有効な衛星軌道情報も含む。
【００２３】
２．機能構成
図２は、本実施形態に係る携帯電話２の機能構成の一例を示すブロック図である。携帯電話２は、処理部１０と、ＧＰＳ受信部７０と、操作部２０と、表示部３０と、通信部４０と、時計部（時計設定部）５０と、記憶部６０と、通話部８０とを備えて構成される。
【００２４】
携帯電話２は、携帯電話の通信によるアシストデータの取得又は自力でのエフェメリスの取得、測位による位置取得により、衛星軌道情報及び初期位置を含む測位支援情報４を保持又は取得している。そして、そのデータをデジタルカメラ３で画像取得により読み取ることが可能なグラフィックあるいはテキスト形式の表示データに変換する変換部１２と、その変換されたデータを表示させる表示部３０とを持っている。
【００２５】
処理部１０は、記憶部６０に記憶されているシステムプログラム等の各種プログラムに従って携帯電話２の各部を統括的に制御する制御装置であり、ＣＰＵ（Central Processing Unit）等のプロセッサーを有して構成される。処理部１０は、携帯電話２の本質的な機能を実現するために、操作部２０を介して入力された指示操作に従って、通話部８０、通信部４０を使用し、携帯電話機能を行う。
【００２６】
また、処理部１０は、通信部４０を用いて衛星軌道情報の取得を行う。ＧＰＳ受信部７０は不図示のＧＰＳアンテナにより受信されたＧＰＳ衛星信号を、位置測位に必要な信号に変換する。測位部１４は、ＧＰＳ受信部７０から入力されたデータ及び測位支援情報４により、携帯電話２の位置を計測する。
【００２７】
操作部２０は、例えばタッチパネルやボタンスイッチ等により構成される入力装置であり、押下されたキーやボタンの信号を処理部１０に出力する。この操作部２０の操作により、撮影指示操作や撮影画像閲覧指示操作、撮影場所解析指示操作等の各種指示操作がなされる。
【００２８】
表示部３０は、ＬＣＤ（Liquid Crystal Display）等により構成され、処理部１０から入力される表示信号に基づいた各種表示を行う表示装置である。表示部３０には、携帯電話機能として、着信番号、電話帳などが表示される。本実施形態の表示もこの部分で行われる。また、本実施形態による測位支援情報４も表示される。
【００２９】
時計部５０は、携帯電話機能及びＧＰＳ機能で使用するものであり、ＧＰＳ測位及び携帯電話２の通信により、正確な時刻を取得可能である。
【００３０】
記憶部６０は、ＲＯＭ（Read Only Memory）やフラッシュＲＯＭ、ＲＡＭ（Random Access Memory）等の記憶装置によって構成され、携帯電話２のシステムプログラムや、撮影機能、撮影画像表示機能、撮影場所解析機能等の各種機能を実現するための各種プログラム、データ等を記憶している。また、各種処理の処理中データ、処理結果などを一時的に記憶するワークエリアを有する。
【００３１】
図３は、本実施形態に係るデジタルカメラ３の機能構成の一例を示すブロック図である。デジタルカメラ３は、処理部１１０と、ＧＰＳ受信部（受信部）１８０と、操作部１２０と、表示部１３０と、撮影機能部（撮像部）１４０と、時計部（時計設定部）１５０と、撮像画像保存部１６０と、記憶部１７０とを備えて構成される。
【００３２】
処理部１１０は、記憶部１７０に記憶されているシステムプログラム等の各種プログラムに従ってデジタルカメラ３の各部を統括的に制御する制御装置であり、ＣＰＵ（Central Processing Unit）等のプロセッサーを有して構成される。処理部１１０は、デジタルカメラ３の本質的な機能を実現するために、操作部１２０を介して入力された指示操作に従って、デジタルカメラ３の正面方向の画像を撮影機能部１４０に撮影させる撮影処理を実行したり、撮影された画像を表示部１３０に表示させたりする処理を行う。
【００３３】
また、処理部１１０は、デジタルカメラ３に位置算出機能を実現させるために、次のような処理を行う。すなわち、ＧＰＳ受信部１８０により取得されたメジャメント情報を取得して位置測位処理を実行し、撮影処理で行った画像に位置情報を付加するために、デジタルカメラ３の位置を算出する処理を行う。また、処理部１１０は、撮影された画像が測位支援情報４であった場合は、測位部１１２が解釈できる測位支援情報４のフォーマットに変換する。また、処理部１１０は撮影機能部１４０で取り込んでいる画像の変化を認識し、タイミング取得の処理も行う機能を有する場合がある。
【００３４】
ＧＰＳ受信部１８０は、不図示のＧＰＳアンテナにより受信されたＧＰＳ衛星信号に基づいてデジタルカメラ３の位置を計測する位置算出回路或いは位置算出装置であり、いわゆるＧＰＳ受信機に相当する機能ブロックである。図示を省略するが、ＧＰＳ位置算出部は、ＲＦ受信回路部と、ベースバンド処理回路部とを備えて構成される。なお、ＲＦ受信回路部と、ベースバンド処理回路部とは、それぞれ別のＬＳＩ（Large Scale Integration）として製造することも、１チップとして製造することも可能である。
【００３５】
ＧＰＳ受信部１８０は、受信信号からＧＰＳ衛星信号を捕捉してメジャメント情報を取得し、測位支援情報４により、衛星の位置を求め、測位演算をする。
【００３６】
操作部１２０は、例えばタッチパネルやボタンスイッチ等により構成される入力装置であり、押下されたキーやボタンの信号を処理部１１０に出力する。この操作部１２０の操作により、撮影指示操作や撮影画像閲覧指示操作、撮影場所解析指示操作等の各種指示操作がなされる。
【００３７】
表示部１３０は、ＬＣＤ（Liquid Crystal Display）等により構成され、処理部１１０から入力される表示信号に基づいた各種表示を行う表示装置である。表示部１３０には、ファインダー画像や撮影画像等が表示される。
【００３８】
撮影機能部１４０は、処理部１１０からの指示信号に従って、デジタルカメラ３の正面方向（レンズが向けられている方向）の画像を撮像する回路部であり、ＣＣＤ（Charge Coupled Device）イメージセンサー等の撮像素子を有して構成される。
【００３９】
時計部１５０は、デジタルカメラ３の内部時計である。計時誤差の存在により、時計部１５０の計時時刻は時間経過に伴って正確な時刻からずれる。そのため、画像取り込みにより、時刻の補正を行ったり、位置算出計算により算出された計時誤差を用いて、時計部１５０の計時誤差が較正されたりして、正確な時刻を計時するように調整される。認識部１１６は、連続して取り込まれる画像に変化（画面切り替え）が起こったときに、そのタイミングを認識する。
【００４０】
記憶部１７０は、ＲＯＭ（Read Only Memory）やフラッシュＲＯＭ、ＲＡＭ（Random Access Memory）等の記憶装置によって構成され、デジタルカメラ３のシステムプログラムや、撮影機能、撮影画像表示機能、撮影場所解析機能等の各種機能を実現するための各種プログラム、データ等を記憶している。また、各種処理の処理中データ、処理結果などを一時的に記憶するワークエリアを有する。
【００４１】
撮像画像保存部１６０は、処理部１１０が撮影処理を実行することで撮影した画像が蓄積的に記憶されるデータベースである。
【００４２】
デジタルカメラ３は、ユーザー操作に従って、撮像素子で撮影した画像をデジタルデータとして記録し、撮影画像の表示や印刷等を実行可能に構成された電子機器である。本実施形態において、デジタルカメラ３はＧＰＳ機能を有しており、ＧＰＳ衛星から発信されているＧＰＳ衛星信号を受信することによって、位置算出計算を行う。また、デジタルカメラ３は、携帯電話２の表示部３０に表示された測位支援情報４を撮影することにより情報を取得し、それを測位部１１２が使用できるデータに変換する変換部１１４を保持する。
【００４３】
図４は、本実施形態に係る携帯電話２の処理フロー図である。処理の流れは、ステップＳ１０で、携帯電話２を測位支援情報出力モードにする。
【００４４】
携帯電話２はステップＳ１２で衛星軌道情報８２をサーバーアシストで取得する（ＡＴＦ（Always tracking function）なら、既に保持している有効な衛星軌道情報を使用する）。そしてステップＳ１４で、取得した衛星軌道情報８２と、測位衛星から受信した測位信号とに基づいて測位を行って、初期位置（現在位置）８４を取得する。ステップＳ１２で取得した衛星軌道情報８２及びステップＳ１４で求めた初期位置（現在位置）８４の少なくとも一つを含む測位支援情報４をステップＳ２０で表示用データに変換する。そして、ステップＳ３０でその表示用データを画面に表示する。その画像に衛星軌道情報８２であることを示す測位支援情報マーク及び衛星軌道情報８２を示すテキスト又は二次元コードを表示すると、撮影側で他の画像と区別が可能となる。
【００４５】
図５は、本実施形態に係る測位支援情報を表示する画面図である。
例えば図５に示すように、測位支援情報４を表示する画面上の所定の位置に所定の測位支援情報マークを表示し、表示されている画像が測位支援情報４であることを示す。また、測位支援情報マークの形を変えることにより、表示している測位支援情報４の種別を示すことが可能である。また、情報が複数枚あるときは、この測位支援情報マークの形を変えることによりどのページを表示しているかを示すことにより対応が可能である。
【００４６】
図６は、本実施形態に係るデジタルカメラ３の処理フロー図である。まずステップＳ１００で、携帯電話２の表示部３０に表示された画面を撮影する。
次にステップＳ１１０で、撮影された画像の中に測位支援情報マークがあるかを判断する。撮影した画像が測位支援情報４の画像であると判断した場合（ステップＳ１１０：Ｙｅｓ）は、ステップＳ１２０でその情報を測位部１１２で使用できる形式の測位支援情報４に変換し、ステップＳ１３０で記憶部１７０に保存する。撮影した画像が測位支援情報４の画像ではないと判断した場合（ステップＳ１１０：Ｎｏ）は、ステップＳ１４０で写真画像を撮像画像保存部１６０に保存する。デジタルカメラ３では、撮影時に位置を求めるためにＧＰＳ測位処理を行う。ステップＳ１５０で、ＧＰＳ受信部１８０が受信したＧＰＳ衛星からの測位用信号及び記憶部１７０に保存した測位支援情報４を用いて、測位を行う。
【００４７】
例えば測位支援情報４とは、その時点で観測可能なＧＰＳ衛星の位置（衛星軌道情報８２）及び大まかな現在位置（初期位置）８４である。ＧＰＳ衛星からの測位用信号の捕捉（サーチ）、それぞれのＧＰＳ衛星との距離（擬似距離）の計算（メジャメント）及び擬似距離に基づく現在位置の測位に際して、測位支援情報４を活用する。
【００４８】
測位支援情報４に初期位置８４が含まれ、デジタルカメラ３による測位が、衛星電波の受信環境が悪いことなどによりできなかった場合は、取得した初期位置８４をデジタルカメラ３の撮影の位置８８として使用することも可能である。
【００４９】
（第２の実施形態）
デジタルカメラ３は、ユーザー操作に従って、撮像素子で撮影した画像をデジタルデータとして記録し、撮影画像の表示や印刷等を実行可能に構成された電子機器である。本実施形態において、デジタルカメラ３はＧＰＳ機能を有しており、ＧＰＳ衛星から発信されているＧＰＳ衛星信号を受信することによって、位置算出計算を行う。また、デジタルカメラ３は、携帯電話２の画像に表示された測位支援情報４を撮影することにより情報を取得し、それを変換部１１４が、測位部１１２で使用できるデータに変換する。
【００５０】
図７は、本実施形態に係る携帯電話２の処理フロー図である。まずステップＳ１０で、携帯電話２を測位支援情報出力モードにする。携帯電話２は、ステップＳ１２で衛星軌道情報８２をサーバーアシストで取得する。ＡＴＦ（Always tracking function）なら、既に保持している有効な衛星軌道情報を使用する。ステップＳ１４で、衛星軌道情報８２を用いて測位を行い、現在位置（初期位置）８４を算出する。ステップＳ２０で、衛星軌道情報８２及び現在位置（初期位置）８４の少なくとも一つを含む測位支援情報４を表示用データに変換する。そしてステップＳ３０で、変換された表示用データを表示部３０に表示する。その画像に衛星軌道情報８２であることを示す測位支援情報マーク及び衛星軌道情報８２を示すテキスト又は二次元コードを表示すると、撮影側で他の画像と区別が可能となる。
【００５１】
図８は、本実施形態に係るデジタルカメラ３の処理フロー図である。まずステップＳ１００で、携帯電話２の表示部３０に表示された画面を撮影する。
次にステップＳ１１０で、撮影された画像の中に測位支援情報マークがあるかないかを判断する。撮影した画像の中に測位支援情報マークがあると判断すると（ステップＳ１１０：Ｙｅｓ）、ステップＳ１２０でその画像を測位部１１２で使用できる形式の測位支援情報４に変換する。そしてステップＳ１３０で記憶部１７０に保存する。撮影した画像の中に測位支援情報マークがないと判断した場合（ステップＳ１１０：Ｎｏ）は、ステップＳ１４０で写真画像を撮像画像保存部１６０に保存する。デジタルカメラ３では、撮影時に位置を求めるためにＧＰＳ測位処理を行う。ステップＳ１５０で、ＧＰＳ受信部１８０が受信したＧＰＳ衛星からの測位用信号及び記憶部１７０に保存した測位支援情報４を用いて、測位を行う。測位支援情報４に初期位置８４が含まれており、デジタルカメラ３が、ＧＰＳ電波の受信環境が悪いという要因により位置測位ができなかった場合は、取得した初期位置８４をデジタルカメラ３の撮影位置として使用することも可能である（ステップＳ１４０で写真画像を保存する際に位置８８を付与して保存する。）。
【００５２】
携帯電話２で、測位支援情報（衛星軌道情報）４を表示した後、ステップＳ４０で画像の更新後の時刻表示を行う。（連続的に画面を切り替えて時刻を二次元コードで表示する。）更新後の時刻とは、次に画面を切り替えるタイミングの時刻のことをいう。デジタルカメラ３では携帯電話２の画面を連続して撮像している。ステップＳ１６０で、デジタルカメラ３では携帯電話２に連続で表示される二次元コードにより時刻を読み取る。実際の処理として、携帯電話２はステップＳ４０で、次に画面を更新する時刻をセットし、ステップＳ５０で更新時刻を二次元コード又はテキストで表示させる。デジタルカメラ３は、ステップＳ１７０で携帯電話２の画面が切り変わったタイミングを捕捉し、そのタイミングに表示部３０上に表示された時刻を設定する（ステップＳ１８０）。この処理は１回でも良いが、画像の投影という人間が介する処理であるため、この処理を何回か繰り返すことによって、確実に補正するという処理も可能である。
【００５３】
ＧＰＳで使用する時刻は、測位装置によって要求する精度は異なるが、一般的に正確であるほど良い。例えば、ある測位装置が５０ｍ秒の精度を要求していたとする。携帯電話側では、画面処理を行う処理にかかる時間を考慮して、早目に表示を開始する必要がある。表示処理に３０ｍ秒かかる機器（携帯電話）であるならば、３０ｍ秒早めに表示を開始するようにして、正確な時刻に画面更新が行われるようにする。又は、更新時刻表示の時刻に画面表示にかかる時間を加えて表示させる方法もある。
【００５４】
またデジタルカメラ側においても、撮像から時刻を設定するまでにかかる時間を考慮して、時刻の設定を行う必要がある。デジタルカメラ側において、携帯電話が画面表示に要する時間とデジタルカメラ側での時刻設定までに要する時間との合計時間を考慮するという方法が考えられるが、機器のハード及びソフトにより性能に差が生じてしまう。そのため、表示タイミングの基準のポイントをできるだけ正確な時間にすることにより、汎用的で共通な運用が可能となる。
【符号の説明】
【００５５】
１…位置測位システム  ２…携帯電話（第１端末機器）（第１の装置）  ３…デジタルカメラ（第２の装置）  ４…測位支援情報  １０…処理部  １２…変換部  １４…測位部  ２０…操作部  ３０…表示部  ４０…通信部  ５０…時計部（時計設定部）  ６０…記憶部  ７０…ＧＰＳ受信部  ８０…通話部  ８２…衛星軌道情報  ８４…現在位置（初期位置）  ８８…位置  １１０…処理部  １１２…測位部  １１４…変換部  １１６…認識部  １２０…操作部  １３０…表示部  １４０…撮影機能部  １５０…時計部（時計設定部）  １６０…撮像画像保存部  １７０…記憶部  １８０…ＧＰＳ受信部。
【図１】
2012247200.tif 000003
【図２】
2012247200.tif 000004
【図３】
2012247200.tif 000005
【図４】
2012247200.tif 000006
【図５】
2012247200.tif 000007
【図６】
2012247200.tif 000008
【図７】
2012247200.tif 000009
【図８】
2012247200.tif 000010